(57)【要約】      （修正有）【課題】適度の位置、角度で帽子の鍔の湾曲を自在に変化させることができ、且つ携帯に便利な帽子の鍔整形具を提供する。【解決手段】一つの整形板の端部には帽子の鍔の一端部を挿入する第一の角度固定溝を有し、もう一方の整形板の一端部には他端部を挿入する第二の角度固定溝を有し、整形板の長孔内をスライドさせ、または夫々の整形板の相対角度θを変化させる。【選択図】図１
0003119696.tif 000002
【実用新案登録請求の範囲】
【請求項１】
少なくとも２枚以上の整形板をボルト、ナット等の連結ヒンジ部により連結し、該連結ヒンジ部は整形板のほぼ中央部に設けられた夫々の長孔内を貫通し、少なくとも２枚以上の整形板を締結するように構成され、一つの整形板の端部には帽子の鍔の一端部を挿入し、湾曲角度を固定するための第一の角度固定溝を有し、もう一方の整形板の一端部には帽子の鍔の他端部を挿入し、湾曲角度を固定するための第二の角度固定溝を有し、前記整形板の長孔内をスライドさせ、または夫々の整形板の相対角度θを変化させることにより帽子の鍔の湾曲角度を自在に変化させ、適度の位置、角度で前記連結ヒンジ部を締結することにより、帽子の鍔の湾曲を自在に変化させることを特徴とする帽子の鍔整形具。
【請求項２】
前記整形板の長孔は、前記連結ヒンジ部のスライド長さＬを０〜６０ｍｍに開口することにより、第一の角度固定溝の底部Ａより第二の角度固定溝の底部Ｂまでの直線距離を変化させ、且つ前記整形板の厚さを２〜１５ｍｍとすることを特徴とする請求項１記載の帽子の鍔整形具。
【請求項３】
前記整形板の角度固定溝の反対側には、ゴム、紐等の引張り具を引掛ける引掛け溝を有し、帽子の鍔の上面を押さえて、多端の引掛け溝にゴム、紐等の引張り具を引掛けることにより、整形板が外れないように構成したことを特徴とする請求項１または２記載の帽子の鍔整形具。
【考案の詳細な説明】
【技術分野】
【０００１】  本考案は、帽子の鍔整形具に関する。
【背景技術】
【０００２】  近年、健康志向より、多くの人が、レジャーやスポーツを好み、ブームとなっている。そのため屋内外で野球帽や、ゴルフ帽等をかぶる機会が多くなってきている。【０００３】  しかるに、帽子を頭にフィットさせたり、又デザイン上より、鍔の湾曲を変えたい場合に、適当な用具が無いため、うまく湾曲を変えることができなかった。
【考案の開示】
【考案が解決しようとする課題】
【０００４】    本考案は、野球帽や、ゴルフ帽等の鍔の湾曲を好ましい形に整形する整形具を提供する。
【課題を解決するための手段】
【０００５】  少なくとも２枚以上の整形板をボルト、ナット等の連結ヒンジ部により連結し、該連結ヒンジ部は整形板のほぼ中央部に設けられた夫々の長孔内を貫通し、少なくとも２枚以上の整形板を締結するように構成され、一つの整形板の端部には帽子の鍔の一端部を挿入し、湾曲角度を固定するための第一の角度固定溝を有し、もう一方の整形板の一端部には帽子の鍔の他端部を挿入し、湾曲角度を固定するための第二の角度固定溝を有し、前記整形板の長孔内をスライドさせ、または夫々の整形板の相対角度θを変化させることにより帽子の鍔の湾曲角度を自在に変化させ、適度の位置、角度で前記連結ヒンジ部を締結することにより、帽子の鍔の湾曲を自在に変化させることを特徴とする帽子の鍔整形具を提供する。【０００６】    前記整形板の長孔は、前記連結ヒンジ部のスライド長さＬを０〜６０ｍｍに開口することにより、第一の角度固定溝の底部Ａより第二の角度固定溝の底部Ｂまでの直線距離を変化させ、且つ前記整形板の厚さを２〜１５ｍｍとすることを特徴とする前記の帽子の鍔整形具を提供する。【０００７】  前記整形板の角度固定溝の反対側には、ゴム、紐等を引掛ける引掛け溝を有し、帽子の鍔の上面を押さえて、多端の引掛け溝にゴム、紐等を引掛けることにより、整形板が外れないように構成したことを特徴とする前記の帽子の鍔整形具を提供する。【０００８】  前記整形板の角度固定溝の反対側には、ゴム、紐等を引掛ける引掛け溝を有し、帽子の鍔の上面を押さえて、多端の引掛け溝にゴム、紐等を引掛けることにより、整形板が外れないように構成したことを特徴とする前記の帽子の鍔整形具を提供する。
【考案の効果】
【０００９】  本考案の鍔整形具３は次のような効果を発揮するものである。
（１）前記整形板４、５の長孔８により、第一の角度固定溝６の底部Ａより第二の角度固定溝７の底部Ｂまでの直線距離を変化させ、帽子の大きさに合わせて調整し、形状を変化させることができる。【００１０】  （２）夫々の整形板４、５の相対角度θを変化させることにより帽子の鍔の湾曲角度を自在に変化させることができるのである。【００１１】  （３）一方、ゴム、紐等を引掛け、帽子の鍔２の上面を押さえて、整形板４、５が鍔２より外れないように形成することもでき、整形板４、５は、しっかりと、安定して鍔２に取付けられ、更に好ましいものとなる。【００１２】  （４）連結ヒンジ部９を中心に一方の整形板を１８０度回転させると、ほぼ半分の長さとなり、携帯に極めて便利となるため移動時や屋外での使用も可能となるのである。【００１３】  （５）最近では、ゴルフや野球のスーパープレイヤーが、鍔が大きく湾曲した帽子を着用してプレイすることが、一つのトレンドとなり、意匠上より、スポーツ界やファッション界全体に好まれてきており、そのような形状の鍔も本考案の鍔整形具３により容易に整形することができる極めて時代の嗜好にマッチした鍔整形具３を提供することができたのである。
【考案を実施するための最良の形態】
【００１４】      本考案は、考案の効果に前述した如く、すなわち、現代の嗜好にマッチした鍔整形具３を提供することができたのである。【００１５】  なお、本考案の前記ならびにそのほかの目的と新規な特徴は次の説明を添付図面と照らし合わせて読むと、より完全に明らかになるであろう。
ただし、図面はもっぱら解説のためのものであって、本考案の技術的範囲を限定するものではない。以下図面に基づいて詳細を説明する。
【実施例】
【００１６】  以下、本考案の実施例について、図面を参照しながら説明する。
この実施例は、図１に、鍔整形具３の使用状態の全体斜視図を示す。
野球帽、ゴルフ帽等の帽子１の鍔２の一端２ａは、整形板４の端部に設けられた第一の角度固定溝６に挿入され、一方鍔２の他端２ｂは、整形板５の端部に設けられた第二の角度固定溝７に挿入され、整形板４、５のほぼ中央部には長孔８が設けられている。
少なくとも二枚以上の整形板４、５は、前記長孔８内を貫通して締結するよう構成された連結ヒンジ部９により連結されている。そして全体として鍔整形具３を構成している。【００１７】  図２は、本実施例の正面図を示し、図３は、平面図を示し、図４は右側面図を示している。底面図は、平面図と反対勝手で、ほぼ同様なので省略する。また左側面図は右側面図と反対勝手で、ほぼ同様なので省略する。【００１８】  連結ヒンジ部９は、ボルト１０及び蝶ナット等のナット１１等で構成され、必要により座金１２が使用され、整形板４、５を締結固定している。【００１９】  また、整形板の上部中央部は、図２、図６に示されるように、上部に湾曲した形状にすることにより、鍔２の底面を支えて、鍔の整形用の湾曲型板となる効果を与えている。【００２０】  該連結ヒンジ部９を中心に一方の整形板を１８０度回転させると、ほぼ半分の長さとなり、携帯に極めて便利となるため移動時や屋外での使用も可能となるのである。【００２１】  また、図５に示すように、前記整形板４、５の長孔８は、前記連結ヒンジ部９の中心のスライド長さＬを０〜６０ｍｍに開口することにより、第一の角度固定溝６の底部Ａより第二の角度固定溝７の底部Ｂまでの直線距離を変化させ、帽子の大きさに合わせて調整し、形状を変化させることができる。Ｌの最大値を６０ｍｍとしたのは、通常人間の頭のサイズより、帽子の大きさが決められ、それ以上の鍔の幅寸法は必要でなく、あまり大きくすると、重量も大きくなり、製作コストも高くなるためである。【００２２】  また、図６に示すように、夫々の整形板４、５の相対角度θを変化させることにより帽子の鍔の湾曲角度を自在に変化させることができるのである。大きく湾曲させ、幅は小さくしたいときは、図６に示すように相対角度θで、調節することで、好ましい形状に整えることができる。【００２３】  整形板４、５の材質は、合成樹脂、木材、金属、合成樹脂を含浸させた紙や繊維等で構成することができる。【００２４】  また、整形板４、５の厚さは、材質により、強度や重量より決定されるが、厚さ２〜１５ｍｍの範囲が好ましい。２ｍｍより薄いと強度が弱くなり、また角度固定溝６の厚さ方向の寸法が小さくなるため、固定に安定感が無く外れやすいためである。
また、１５ｍｍより厚くなると重量が大きくなり、製作コストも過大となり、また携帯性等が阻害されるためである。【００２５】  一方、前記整形板４、５の角度固定溝６、７の反対側には、ゴム、紐等の引張り具１３を引掛ける引掛け溝１４を有し、帽子の鍔２の上面を押さえて、多端の引掛け溝１５にゴム、紐等の引張り具１３を引掛けることにより、整形板４、５が鍔２より外れないように形成することもできる。このように構成すると整形板４、５は、安定して鍔２に取付けられ、更に好ましいものとなる。【００２６】  最近では、ゴルフや野球のスーパープレイヤーが、鍔が大きく湾曲した帽子を着用してプレイすることが、一つのトレンドとなり、意匠上より、スポーツ界やファッション界全体に好まれてきており、そのような形状の鍔も本考案の鍔整形具３により容易に整形することができる極めて時代の嗜好にマッチした鍔整形具３を提供することができたのである。【００２７】  ［変形実施例］
この考案は次のように変形して実施することを含むものである。
（１）整形板４、５の形状は、楕円形、卵形の他、棒状の矩形等、６角形、８角形等の多角形でも良い。【００２８】  （２）整形板は、２枚でなく３〜４枚等でも良い。
【産業上の利用可能性】
【００２９】    本考案の活用例としては、以上説明したように、スポーツまたはファッション産業において、野球帽等の帽子が多用されているが、その鍔の湾曲を整形することにより、意匠性の高い帽子を整形することができるため、新商品として市場の活性化に貢献することができる。
【図面の簡単な説明】
【００３０】
【図１】使用状態の全体斜視図。
【図２】本実施例の正面図。
【図３】本実施例の平面図。
【図４】本実施例の右側面図。
【図５】本実施例の最大伸長時の状態図。
【図６】本実施例の相対角度を持たせたときの状態図。
【符号の説明】
【００３１】１          帽子
２          鍔
２ａ        鍔２の一端
２ｂ        鍔２の他端
３          鍔整形具
４、５      整形板
６、７      角度固定溝
８          長孔
９          連結ヒンジ部
１０        ボルト
１１        ナット
１２        座金
１３        引張り具
１４，１５  引掛け溝
【図１】
0003119696.tif 000003
【図２】
0003119696.tif 000004
【図３】
0003119696.tif 000005
【図４】
0003119696.tif 000006
【図５】
0003119696.tif 000007
【図６】
0003119696.tif 000008